(57)【特許請求の範囲】
【請求項１】
長筒状の筒体と、
前記筒体の軸方向に往復動可能に前記筒体に挿通された伝動体と、
前記筒体の一端に連結された固定部材、前記固定部材に往復動可能に支持され、前記伝動体と連結された可動部材を備えた操作体と、
前記筒体の他端に連結された支持部材、前記支持部材に前記筒体の軸方向に往復動可能に支持され、前記筒体の前記一端の側に向かって突設された突起部を有し、前記伝動体と連結された押部材、前記支持部材と前記押部材とで形成される足を挿通する足挿通部を備えた押圧体とを具備し、
前記押圧体は、前記押部材が前記筒体から離れている位置である保持位置に位置するように前記押部材を付勢する押圧側戻機構を更に備えており、
前記操作体は、前記可動部材を動かすことによって、前記押圧側戻機構による付勢に抗して前記押部材を前記保持位置から前記筒体に近付くように移動させるものである
ことを特徴とするツボ押圧器。
【請求項２】
長筒状の筒体と、
前記筒体の軸方向に往復動可能に前記筒体に挿通された伝動体と、
前記筒体の一端に連結された固定部材、前記固定部材に往復動可能に支持され、前記伝動体と連結された可動部材を備えた操作体と、
前記筒体の他端に連結された支持部材、前記支持部材に前記筒体の軸方向に往復動可能に支持され、前記筒体の前記一端の側に向かって突設された突起部を有し、前記伝動体と連結された押部材、前記支持部材と前記押部材とで形成される足を挿通する足挿通部を備えた押圧体とを具備し、
前記押圧体の支持部材は、前記筒体と略直交し、内部が連通した状態で前記筒体の前記他端に連結された筒状の連結部、前記連結部の両端に内部が連通した状態で連結され、前記連結部に対して前記筒体がある側とは反対側に向かって延びている筒状の一対の側部を有しており、
前記押圧体の押部材は、一対の係合部が前記一対の側部に沿って往復動可能に係合されており、
前記伝動体は、前記支持部材に挿通されて前記押部材の一対の係合部に連結されている
ことを特徴とするツボ押圧器。
【請求項３】
長筒状の筒体と、
前記筒体の軸方向に往復動可能に前記筒体に挿通された伝動体と、
前記筒体の一端に連結された固定部材、前記固定部材に往復動可能に支持され、前記伝動体と連結された可動部材を備えた操作体と、
前記筒体の他端に連結された支持部材、前記支持部材に前記筒体の軸方向に往復動可能に支持され、前記筒体の前記一端の側に向かって突設された突起部を有し、前記伝動体と連結された押部材、前記支持部材と前記押部材とで形成される足を挿通する足挿通部を備えた押圧体とを具備し、
前記押圧体の支持部材は、前記筒体と略直交し、内部が連通した状態で前記筒体の前記他端に連結された筒状の連結部、前記連結部の両端に内部が連通した状態で連結され、前記連結部に対して前記筒体がある側とは反対側に向かって延びている筒状の一対の側部、前記一対の側部に内部が連通した状態で連結され、前記筒体の前記一端の側で開口するように孔部が穿設された筒状の足掛部を有し、
前記押圧体の押部材は、前記足掛部の孔部に前記突起部の位置を合わせて前記足掛部内に往復動可能に配されており、
前記伝動体は、前記支持部材に挿通されて前記押部材の両端部に連結されている
ことを特徴とするツボ押圧器。
【請求項４】
前記操作体の固定部材は、前記筒体に略直交して前記筒体の前記一端に連結された固定部、前記固定部の両端に連結され、前記固定部に対して前記筒体がある側とは反対側に向かって延びている一対の固定側部、前記一対の固定側部に連結された把持部を有した枠状であり、
前記操作体の可動部材は、前記固定部材の内周側に、前記一対の固定側部に沿って往復動可能に係合している
ことを特徴とする請求項１乃至請求項３の何れか一つに記載のツボ押圧器。
【請求項５】
前記操作体の固定部材は、前記筒体に連結された固定部、前記固定部に連結された棒状の把持部を有し、
前記操作体の可動部材は、前記伝動体を往復動可能に前記固定部に一端側が軸支されている
ことを特徴とする請求項１乃至請求項３の何れか一つに記載のツボ押圧器。
【請求項６】
前記押圧体は、前記押部材が前記筒体から離れている位置である保持位置に位置するように前記押部材を付勢する押圧側戻機構を更に備えており、
前記操作体は、前記可動部材を動かすことによって、前記押圧側戻機構による付勢に抗して前記押部材を前記保持位置から前記筒体に近付くように移動させるものである
ことを特徴とする請求項２または請求項３に記載のツボ押圧器。
【請求項７】
前記操作体は、前記押部材が前記保持位置に位置するように前記可動部材を付勢する操作側戻機構を更に備えている
ことを特徴とする請求項１または請求項６に記載のツボ押圧器。
【発明の詳細な説明】
【技術分野】
【０００１】
本発明は、足裏のツボを押圧するツボ押圧器に関するものである。
【背景技術】
【０００２】
足裏には胃、肝臓、小腸等の臓器と密接に繋がる複数のツボ（経穴）があり、これらのツボを押圧して刺激することにより、臓器の働きを改善することができると言われている。
【０００３】
このため、半円筒状に切断した竹を凸面を上方に向けて設置し、その上に立って足踏みをして足裏のツボを刺激する所謂青竹踏みが従前より行われている。
【０００４】
また、足裏の図柄が描かれた平板と、足裏のツボの位置に複数の突起を設けた足裏ツボ押板１００がある（図７参照）。この足裏ツボ押板１００は、足の位置を足裏の図柄に合わせて平板の上に立つことにより、複数の突起で足裏のツボを刺激するものである。
【０００５】
しかしながら、上記の器具では竹の凸面や平板の突起の上に立つことにより足裏のツボを刺激するため、体重がかかり過ぎて足裏が痛くなることがあった。また、椅子に座った状態で上記の器具を使用する場合は、足裏に体重がかかりにくく十分に足裏を刺激することができなかった。更に、床に設置した器具を踏みつけて足裏のツボを刺激するものであるため、体を横にして寝た状態では使用することができなかった。加えて、上記の器具では、足裏の全体を押圧するものであるため、一個のツボのみを押圧したいときには不便であった。
【発明の概要】
【発明が解決しようとする課題】
【０００６】
そこで、本発明は、上記の実情に鑑み、椅子に座った状態や体を横にした状態でも使用でき、単一の足裏のツボを押圧することができると共に、ツボを押圧する力を調節できるツボ押圧器の提供を、課題とするものである。
【課題を解決するための手段】
【０００７】
本発明にかかるツボ押圧器は、
「長筒状の筒体と、
前記筒体の軸方向に往復動可能に前記筒体に挿通された伝動体と、
前記筒体の一端に連結された固定部材、前記固定部材に往復動可能に支持され、前記伝動体と連結された可動部材を備えた操作体と、
前記筒体の他端に連結された支持部材、前記支持部材に前記筒体の軸方向に往復動可能に支持され、前記筒体の前記一端の側に向かって突設された突起部を有し、前記伝動体と連結された押部材、前記支持部材と前記押部材とで形成される足を挿通する足挿通部を備えた押圧体とを具備する」ものである。
【０００８】
「伝動体」は、鋼材で製造された単線のワイヤ、または単線のワイヤを撚り合わせたワイヤロープ、剛性を有する棒状、または板状の部材がある。
【０００９】
「足」は踝よりも下の部分を指す。
【００１０】
本構成のツボ押圧器は、筒体の両端に操作体と押圧体がそれぞれ連結されている。そして、操作体の固定部材に往復動可能に支持された可動部材と、押圧体の支持部材に往復動可能に支持された押部材とが、筒体に往復動可能に挿通された伝動体に連結されている。これにより、操作体の可動部材を動かすと伝動体を介して可動部材に連結された押圧体の押部材が連動して移動する。従って、足挿通部に足を挿通して足裏のツボを突起部に当てた状態で可動部材を動かして押部材を移動させることにより、足裏のツボを押圧することができる。
【００１１】
また、本構成のツボ押圧器は、操作体と押圧体とが筒体により離れている。これにより、押圧体に足を挿通した状態で、手で操作体を操作することができる。従って、椅子に座った状態や、膝を伸ばして体を横にした状態でも、本構成のツボ押圧器により足裏のツボを押圧することができる。
【００１２】
本発明にかかるツボ押圧器は、上記構成において、
「前記押圧体の支持部材は、前記筒体と略直交し、内部が連通した状態で連結された筒状の連結部、前記連結部の両端の前記筒体と反対側に内部が連通した状態で連結された筒状の一対の側部を有しており、
前記押圧体の押部材は、一対の係合部が前記一対の側部に沿って往復動可能に係合されており、
前記伝動体は、前記支持部材に挿通されて前記押部材の一対の係合部に連結されている」ものとすることができる。
【００１３】
本構成のツボ押圧器では、押圧体の支持部材が連結部と一対の側部を有した略コ字状であり、支持部材の一対の側部に押部材が係合している。つまり、本構成のツボ押圧器の押圧体は枠状であり、押圧体の内周側が足挿通部になる。そして、操作体の可動部材を動かすことにより、押部材は一対の側部に沿って移動する。従って、足挿通部に足を挿通した状態で操作体を操作して押部材を筒体側に移動させることにより、突起部で足裏のツボを押圧することができる。
【００１４】
本発明にかかるツボ押圧器は、上記構成において、
「前記押圧体の支持部材は、前記筒体と略直交し、内部が連通した状態で前記筒体の前記他端に連結された筒状の連結部、前記連結部の両端に内部が連通した状態で連結され、前記連結部に対して前記筒体がある側とは反対側に向かって延びている筒状の一対の側部、前記一対の側部に内部が連通した状態で連結され、前記筒体の前記一端の側で開口するように孔部が穿設された筒状の足掛部を有し、
前記押圧体の押部材は、前記足掛部の孔部に前記突起部の位置を合わせて前記足掛部内に往復動可能に配されており、
前記伝動体は、前記支持部材に挿通されて前記押部材の両端部に連結されている」ものとすることができる。
【００１５】
本構成のツボ押圧器では、支持部材が中空構造の枠状であり、押部材が支持部材の足掛部の内部に往復動可能に配されている。そして、操作体の可動部材を動かすことにより、押部材は足掛部内で筒体の軸方向に移動し、足掛部の孔部から突起部が突出する。従って、足挿通部に足を挿通した状態で操作体を操作して突起部を足掛部の孔部から突出させることにより、突起部で足裏のツボを押圧することができる。
【００１６】
本発明にかかるツボ押圧器は、上記構成において、
「前記操作体の固定部材は、前記筒体に略直交して前記筒体の前記一端に連結された固定部、前記固定部の両端に連結され、前記固定部に対して前記筒体がある側とは反対側に向かって延びている一対の固定側部、前記一対の固定側部に連結された把持部を有した枠状であり、
前記操作体の可動部材は、前記固定部材の内周側に、前記一対の固定側部に沿って往復動可能に係合している」ものとすることができる。
【００１７】
本構成のツボ押圧器では、枠状の固定部材の内周側に可動部材が一対の固定側部に沿って往復動可能に係合している。そして、可動部材を一対の固定側部に沿って動かすと、伝動体を介して可動部材に連結された押部材が連動して移動する。従って、可動部材を把持部側に引寄せることにより、押部材を筒体側に牽引して足裏のツボを突起部で押圧することができる。
【００１８】
本発明にかかるツボ押圧器は、上記構成において、
「前記操作体の固定部材は、前記筒体に連結された固定部、前記固定部に連結された棒状の把持部を有し、
前記操作体の可動部材は、前記伝動体を往復動可能に前記固定部に一端側が軸支されている」ものとすることができる。
【００１９】
本構成のツボ押圧器では、可動部材の一端側が伝動体を往復動可能に固定部材の固定部に軸支されている。そして、可動部材を回動させると、伝動体を介して可動部材に連結された押圧体の押部材が連動して往復動する。従って、可動部材を回動して伝動体を牽引することにより、押部材を筒体側に牽引して足裏のツボを押圧することができる。
【００２０】
本発明にかかるツボ押圧器は、上記構成に加え、
「前記押圧体は、前記押部材が前記筒体から離れている位置である保持位置に位置するように前記押部材を付勢する押圧側戻機構を更に備えており、
前記操作体は、前記可動部材を動かすことによって、前記押圧側戻機構による付勢に抗して前記押部材を前記保持位置から前記筒体に近付くように移動させるものである」ものとすることができる。
【００２１】
「保持位置」は、可動部材を操作しない場合に、押部材が筒体から離れて位置する場所を指す。
【００２２】
「押圧側戻機構」は、押部材の突起部が突設された側に押バネを取付け、押部材を保持位置側に押す機構がある。または、押部材の突起部と反対側に引張バネを取付け、押部材を保持位置側に引張る機構がある。
【００２３】
本構成のツボ押圧器は、操作体の可動部材を操作しない状態では、押圧側戻機構に付勢されて押圧体の押部材が保持位置側に付勢されている。これにより、押圧側戻機構の付勢に抗して可動部材を動かして押部材を筒体側に移動させた状態で、可動部材を放すと押部材は保持位置に復帰する。
【００２４】
本発明にかかるツボ押圧器は、上記構成に加え、
「前記操作体は、前記押部材が前記保持位置に位置するように前記可動部材を付勢する操作側戻機構を更に備えている」ものとすることができる。
【００２５】
「操作側戻機構」は、可動部材に引張バネを取付け、押部材が保持位置に位置するように可動部材を引張る機構がある。また、可動部材に押バネを取付け、押部材が保持位置に位置するように可動部材を押す機構がある。
【００２６】
本構成のツボ押圧器は、操作体の可動部材を操作しない状態では、可動部材が操作側戻機構に付勢されて保持位置に位置している押部材に対応した位置にある。そして、操作側戻機構の付勢に抗して可動部材を動かして押部材を筒体側に移動させた状態で、可動部材を放すと可動部材は元の位置に復帰する。
【発明の効果】
【００２７】
以上のように、本発明の効果として、椅子に座った状態や体を横にした状態でも使用でき、単一の足裏のツボを押圧することができると共に、ツボを押圧する力を調節できるツボ押圧器を、提供することができる。
【図面の簡単な説明】
【００２８】
【図１】本発明の第一実施形態であるツボ押圧器の斜視図である。
【図２】図１のツボ押圧器の（ａ）は操作体を操作していない場合の押圧体の断面図、（ｂ）は操作体を操作した場合の押圧体の断面図である。
【図３】図１のツボ押圧器の使用方法を説明する図である。
【図４】本発明の第二実施形態であるツボ押圧器の斜視図である。
【図５】図４のツボ押圧器の（ａ）は操作体を操作していない場合の押圧体の断面図、（ｂ）は操作体を操作した場合の押圧体の断面図である。
【図６】本発明の第三実施形態であるツボ押圧器の（ａ）は斜視図、（ｂ）は操作体の側面図である。
【図７】従来の足裏のツボを押圧する器具の図である。
【発明を実施するための形態】
【００２９】
以下、本発明の第一実施形態乃至第三実施形態である足ツボ押圧器１〜３について図１〜６を用いて説明する。
【００３０】
第一実施形態の足ツボ押圧器１は、図１〜３に示すように、長い円筒状の筒体１１に伝動体として鋼材で製造された単線のワイヤ３０が挿通されている。そして、筒体１１の一端側には操作体１２が連結され、他端側には押圧体１５が連結されている。操作体１２は、中空構造の略矩形枠状の固定部材１３と、固定部材１３の内周に、筒体１１の軸方向に往復動可能に取付けられている長棒状の可動部材１４とを備えている。可動部材１４には、ワイヤ３０が連結されている。押圧体１５は、略コ字状の中空構造の支持部材１６と、支持部材１６の両端側に筒体１１の軸方向に往復動可能に取付けられた押部材１７を備えている。押部材１７には、筒体１１側に突起部１８が突設されていると共に、支持部材１６に挿通されたワイヤ３０が連結されている。そして、支持部材１６と押部材１７とで押圧体１５は枠状になっており、その内周側が足挿通部１９である。なお、筒体１１、操作体１２、押圧体１５は、樹脂製である。
【００３１】
筒体１１は、膝を伸ばした状態で押圧体１５の足挿通部１９に足を挿通した場合でも操作体１２を手で握ることができる長さになっており、具体的には８００ｍｍに形成されている。なお、筒体１１の長さは、７００ｍｍ〜１２００ｍｍにすることができる。
【００３２】
操作体１２の固定部材１３は、長さ方向の略中央で筒体１１と略直交して連結された固定部１３ａと、固定部１３ａの両端の筒体１１と反対側に連結された一対の筒状の固定側部１３ｂと、一対の固定側部１３ｂに連結された把持部１３ｃとから構成されている。固定部１３ａには貫通孔１３ｄが設けられており、筒体１１からワイヤ３０が引出されている。また、一対の固定側部１３ｂの内側には、固定側部１３ｂの長さ方向に沿って側部溝１３ｅが形成されている。
【００３３】
操作体１２の可動部材１４は、長棒状であり、下側が波形に形成されているため、握りやすい。また、可動部材１４の両端の可動端部１４ａは、側部溝１３ｅに係合している。これにより、可動部材１４は側部溝１３ｅに沿って筒体１１の軸方向に往復動可能になっている。また、可動部材１４には筒体１１から引出されたワイヤ３０が連結されている。
【００３４】
更に、一対の固定側部１３ｂ内の固定部１３ａ側には、バネ係合片１３ｆが形成されている。そして、バネ係合片１３ｆと可動部材１４の可動端部１４ａとに引張バネ４０が取付けられている。可動部材１４を筒体１１側の位置に付勢する引張バネ４０が操作側戻機構である。
【００３５】
押圧体１５の支持部材１６は、長さ方向の略中央で筒体１１と略直交して筒体１１に連結された筒状の連結部１６ａと、連結部１６ａの両端の筒体１１と反対側に連結された筒状の一対の側部１６ｂを有し、略コ字状に形成されている。連結部１６ａは筒体１１と連通しており、連結部１６ａと一対の側部１６ｂは互いに連通している。また、一対の側部１６ｂの内周側には、側部１６ｂの長さ方向に案内溝１６ｃが形成されている。
【００３６】
押圧体１５の押部材１７は、上面の略中央に一個の突起部１８が突設されている。そして、押部材１７の両端の係合部１７ａは、支持部材１６の案内溝１６ｃに係合している。これにより、押部材１７は、案内溝１６ｃに沿って筒体１１の軸方向に往復動可能になっている。
【００３７】
筒体１１の押圧体１５側の端部から引出されたワイヤ３０は、連結部１６ａの両側に二又に分かれて挿通され、それぞれ一対の側部１６ｂに挿通されて、押部材１７の係合部１７ａに連結されている。ワイヤ３０は、撓みがない状態で操作体１２の可動部材１４と、押圧体１５の押部材１７に連結されている。
【００３８】
また、係合部１７ａの下面と、側部１６ｂの内部先端１６ｄとに引張バネ４１が連結されている。この押部材１７の下面に取付けられて押部材１７を内部先端１６ｄ側に引張る引張バネ４１が押圧側戻機構である。そして、操作体１２を操作していない場合に、引張バネ４１に付勢されて押部材１７が位置する場所が保持位置である。
【００３９】
従って、引張りバネ４０，４１の付勢に抗して可動部材１４を把持部１３ｃ側に引寄せることにより、ワイヤ３０が牽引される。そして、ワイヤ３０に連結された押部材１７が案内溝１６ｃに沿って筒体１１側に移動する。可動部材１４を放すと、引張バネ４０，４１の復元力により、押部材１７は保持位置に復帰し、可動部材１４は元の位置に復帰する。可動部材１４を操作していない場合は、押部材１７は引張りバネ４０，４１により保持位置側に付勢されている。つまり、足挿通部１９が広く開口した状態になっており、足を足挿通部１９に挿通させ易い。
【００４０】
次に、第一実施形態のツボ押圧器１の使用方法について図３を用いて説明する。本実施形態のツボ押圧器１では、操作体１２の把持部１３ｃと可動部材１４を持って、押圧体１５の足挿通部１９に足を挿通し、足裏のツボに突起部１８の位置を合わせる。このとき、ツボ押圧器１の操作体１２と押圧体１５が筒体１１により離れているため、膝を伸ばした状態でも操作体１２を持って足挿通部１９に足を挿通することができる。そして、可動部材１４を把持部１３ｃ側に引寄せてワイヤ３０を牽引する。これにより、押圧体１５の押部材１７がワイヤ３０に牽引されて筒体１１側に移動する。つまり、支持部材１６と押部材１７とで足を挟んで、押部材１７の突起部１８で足裏のツボを押圧することができる。また、本実施形態のツボ押圧器１の突起部１８は一個であるため、単一のツボのみを押圧することができる。
【００４１】
従って、第一実施形態のツボ押圧器１では、押圧体１５の足挿通部１９に足を挿通した状態で、操作体１２の可動部材１４を把持部１３ｃ側に動かすことにより、押圧体１５の押部材１７が筒体１１側に移動する。そして、押部材１７に突設された突起部１８で足裏のツボを押圧することができる。
【００４２】
また、本実施形態のツボ押圧器１では、膝を伸ばした状態で足を押圧体１５の足挿通部１９に挿通しても操作体１２を手で操作できるような長さに筒体１１が形成されている。これにより、例えば布団の上で膝を伸ばして横になった状態や、椅子に座った状態でもツボ押圧器１を使用して足裏のツボを押圧することができる。この際、突起部１８が一個であることにより、単一のツボのみを押圧することができる。
【００４３】
更に、ツボを押圧する力は、可動部材１４を把持部１３ｃに接近させる力よって調節することができ、足裏のツボを適度な力で押圧することができる。特に、本実施形態のツボ押圧器１では、可動部材１４と押部材１７とが直線的に連動し、可動部材１４を牽引する力が直接ツボを押圧する力になるため、押圧する力の調節がし易い。
【００４４】
また、押部材１７の突起部１８を視認できるため、押圧したいツボの位置に突起部１８を合わせやすい。
【００４５】
ここで、突起部１８は、押部材１７と一体で形成してもよく、別体で形成してもよい。別体の場合は、突起部１８の材質を押部材１７と変えることができる。例えば、柔軟性を有するゴム製の突起部１８にしてもよい。また、突起部１８を着脱可能に押部材１７に取付けられる構成にしてもよい。この場合は、硬さや大きさの異なる突起部１８を複数備えてもよい。これにより、使用者の好みに応じて突起部１８の硬さや大きさを変更することができる。
【００４６】
更に、押圧体１５の支持部材１６の内周側にスポンジやゴム等の柔軟性を有する部材を取付けてもよい。この場合は、押部材１７と支持部材１６で足を挟んだ際に足の甲側が柔軟性を有する部材に当接するため、足の甲が痛くなりにくい。
【００４７】
次に、第二実施形態のツボ押圧器２について図４，５を用いて説明する。第二実施形態のツボ押圧器２は、押圧体２５と伝動体の構成が第一実施形態のツボ押圧器１と相違している。なお、本実施形態のツボ押圧器２の筒体１１と操作体１２は、第一実施形態のツボ押圧器１と同様の構成であるため、同一の符号を付して説明を省略する。
【００４８】
本実施形態のツボ押圧器２の押圧体２５は、中空構造の略矩形枠状の支持部材２６と、支持部材２６内に往復動可能に配された押部材２７とを備えている。そして、支持部材２６の内周側が足挿通部２９になっている。
【００４９】
支持部材２６は、長さ方向の略中央で筒体１１と略直交して連結された筒状の連結部２６ａと、連結部２６ａの両端の筒体１１と反対側に連結された筒状の一対の側部２６ｂと、一対の側部２６ｂに連結され、連結部２６ａと対向した筒状の足掛部２６ｃを有している。連結部２６ａは、筒体１１と連通しており、一対の側部２６ｂは、連結部２６ａ及び足掛部２６ｃと連通している。また、足掛部２６ｃの上面の略中央に孔部２６ｄが穿設されている。
【００５０】
押部材２７は、上面の略中央に孔部２６ｄに挿通可能な突起部２８が突設されている。そして、押部材２７は突起部２８の位置を孔部２６ｄに合わせて足掛部２６ｃ内に配されている。
【００５１】
ツボ押圧器２の伝動体は、硬質の樹脂製の長棒部材３１とＵ字状の連結具３２から構成されている。長棒部材３１は、筒体１１の軸方向に往復動可能に挿通されており、一端が操作体１２の可動部材１４に連結されている。長棒部材３１の他端は、支持部材２６の連結部２６ａと一対の側部２６ｂに挿通された連結具３２に連結されている。そして、連結具３２の両端は、押部材２７に連結されている。
【００５２】
押部材２７は、足掛部２６ｃの内部の幅よりも薄く形成されており、連結具３２は、連結部２６ａ及び一対の側部２６ｂの内部の幅よりも細く形成されている。これにより、押部材２７は、足掛部２６ｃの内部で往復動可能になっている。
【００５３】
押部材２７の下面と足掛部２６ｃの内部の外周面側２６ｅとに引張バネ４２が連結されている。この引張バネ４２が押圧側戻機構であり、押部材２７を足掛部２６ｃの外周面側２６ｅ側（保持位置側）に付勢している。
【００５４】
従って、引張バネ４０，４２の付勢に抗して操作体１２の可動部材１４を把持部１３ｃ側に引寄せることにより、長棒部材３１及び連結具３２を介して押部材２７が筒体１１側に牽引されて孔部２６ｄから突起部２８が突出する。そして、可動部材１４を放すと、引張バネ４０，４２の復元力により、押部材２７が保持位置に復帰し、可動部材１４が元の位置に復帰する。
【００５５】
次に、第二実施形態のツボ押圧器２の使用方法について説明する。ツボ押圧器２では、操作体１２の把持部１３ｃと可動部材１４を持ち、押圧体２５の足挿通部２９に足を挿通する。このとき、足掛部２６ｃに足を掛けて押圧したいツボの位置に孔部２６ｄの位置を合わせる。そして、足裏で足掛部２６ｃを踏むように力を加えた状態で操作体１２の可動部材１４を把持部１３ｃ側に引寄せる。これにより、足掛部２６ｃの孔部２６ｄから突起部２８が突出して足裏のツボを押圧することができる。そして、本実施形態のツボ押圧器２では、操作体１２の可動部材１４を把持部１３ｃに引寄せる力と、足掛部２６ｃに加える力により、足裏のツボを押圧する力を調節することができる。
【００５６】
また、本実施形態のツボ押圧器２も、第一実施形態のツボ押圧器１と同様に、筒体１１の両端に操作体１２と押圧体２５が連結されていることにより、膝を伸ばした状態で押圧体２５の足挿通部２９に足を挿通しても操作体１２を手で操作することができる。従って、体を横にした状態や、椅子に座った状態でもツボ押圧器２を使用して足裏のツボを押圧することができる。
【００５７】
更に、本実施形態のツボ押圧器２では、支持部材２６が足掛部２６ｃを有していることにより、足掛部２６ｃを踏むようにして突起部２８よりも広い範囲で足裏を刺激することもできる。そして、突起部２８を突出させて単一のツボのみを押圧することもできる。
【００５８】
ここで、突起部２８は、押部材２７と別体で形成してもよい。また、押部材２７に着脱可能に取付けられる構成にしてもよい。この場合は、足掛部２６ｃの孔部２６ｄの大きさの範囲内で大きさの異なる突起部２８を複数備えてもよい。或いは、材質を変えて硬さの異なる突起部２８を複数備えてもよい。これにより、使用者の好みに応じて突起部２８の硬さや大きさを変更することができる。
【００５９】
また、支持部材２６の内周側にスポンジやゴム等の柔軟性を有する部材を取付けてもよい。この場合は、突起部２８を突出させて足裏のツボを押圧した際に足の甲側が柔軟性を有する部材に当接するため、足の甲が痛くなりにくい。
【００６０】
次に、第三実施形態のツボ押圧器３について図６を用いて説明する。第三実施形態のツボ押圧器３は、操作体２２の構成が第一実施形態及び第二実施形態のツボ押圧器１，２と相違している。なお、本実施形態のツボ押圧器３の筒体１１と押圧体１５、及び伝動体であるワイヤ３０の構成は第一実施形態のツボ押圧器１と同様の構成であるため、同一の符号を付して説明を省略する。
【００６１】
本施形態のツボ押圧器３の操作体２２は、略Ｌ字状の固定部材２３と可動部材２４を備えている。固定部材２３は、一端側の中空構造の固定部２３ａが筒体１１に連結されている。そして、固定部２３ａの他端側から棒状の把持部２３ｂが屈曲して延びている。
【００６２】
可動部材２４は、一端側が固定部２３ａ内で支軸２４ａにより軸支されている。支軸２４ａは、筒体１１の中心軸から離れた位置にある。また、筒体１１から引出されたワイヤ３０は、可動部材２４の筒体１１の中心軸上の連結点２４ｂに連結されている。そして、可動部材２４の他端側は、固定部材２３の把持部２３ｂと離れた状態になっている。上記構成により、可動部材２４を回動させて把持部２３ｂに接近させることで連結点２４ｂが支軸２４ａを中心として筒体１１から離れるように回動してワイヤ３０を牽引することができる。
【００６３】
可動部材２４に連結されたワイヤ３０は、第一実施形態のツボ押圧器１と同様に、押圧体１５の押部材１７の係合部１７ａに連結されている。そして、押部材１７の係合部１７ａの下面と支持部材１６の一対の側部１６ｂの内部先端１６ｄとに引張バネ４１が連結されている。これにより、引張バネ４１の付勢に抗して把持部２３ｂに接近させた可動部材２４を放すと、引張バネ４１の復元力により、押部材１７は保持位置に復帰し、可動部材２４は元の位置に復帰する。
【００６４】
次に、第三実施形態のツボ押圧器３の使用方法について説明する。ツボ押圧器３では、操作体２２の把持部２３ｂと可動部材２４を持って押圧体１５の足挿通部１９に足を挿通し、突起部１８を足裏のツボの位置に合わせる。そして、可動部材２４を把持部２３ｂ側に動かしてワイヤ３０を牽引する。これにより、ワイヤ３０に牽引されて押部材１７が筒体１１側に移動する。つまり、支持部材１６と押部材１７で足を挟んで押部材１７の突起部１８で足裏のツボを押圧することができる。
【００６５】
本実施形態のツボ押圧器３も、筒体１１の両端に操作体２２と押圧体１５が連結されていることにより、膝を伸ばした状態で押圧体１５の足挿通部１９に足を挿通しても操作体２２を手で操作することができる。従って、体を横にした状態や、椅子に座った状態でもツボ押圧器３を使用して足裏のツボを押圧することができる。
【００６６】
また、本実施形態のツボ押圧器３では、可動部材２４を把持部２３ｂに接近させる力により、ツボを押圧する力を調節できる。このとき、支軸２４ａを支点として可動部材２４に力を加えるとこができるため、テコの原理により、より大きな力で押部材１７を牽引し足裏のツボを突起部１８で押圧することができる。更に、突起部１８が一個であることにより、単一のツボのみを押圧することができる。
【００６７】
ここで、第一実施形態乃至第三実施形態のツボ押圧器１〜３の操作体１２，２２、押圧体１５，２５、及び伝動体の構成の組合せは上記に限られない。具体的には、第三実施形態のツボ押圧器３の押圧体１５が第二実施形態のツボ押圧器２の押圧体２５と同様の構成であってもよい。この場合は、可動部材２４を把持部２３ｂに接近させてワイヤ３０を牽引し、突起部２８を足掛部２６ｃの孔部２６ｄから突出させて足裏のツボを押圧することができる。
【００６８】
また、筒体の形状は円筒状に限らず、断面形状が四角形や六角形の筒状であってもよい。そして、筒体内に押圧体の押部材を保持位置側に付勢する引張バネ等の戻機構を備えてもよい。
【００６９】
更に、押部材の突起部の位置は押部材の中央に限らない。例えば押部材の左右の一方に突起部が突設されている場合は、足挿通部に足を挿通する方向を変えることにより、足裏の押圧する場所を左右の他方に変更することができる。
【００７０】
また、上記では、筒体、操作体、押圧体が樹脂で成形されている場合を例示したが、これに限らず、金属製や木製等にしてもよい。
【００７１】
以上、本発明について好適な実施形態を挙げて説明したが、本発明は上記の実施形態に限定されるものではなく、本発明の要旨を逸脱しない範囲において、種々の改良及び設計の変更が可能である。
【符号の説明】
【００７２】
１，２，３  ツボ押圧器
１１  筒体
１２，２２  操作体
１３，２３  固定部材
１４，２４  可動部材
１５，２５  押圧体
１６，２６  支持部材
１７，２７  押部材
１８，２８  突起部
１９，２９  足挿通部
３０  ワイヤ（伝動体）
３１  長棒部材（伝動体）
３２  連結具（伝動体）
【図１】
0006580898.tif 000002
【図２】
0006580898.tif 000003
【図３】
0006580898.tif 000004
【図４】
0006580898.tif 000005
【図５】
0006580898.tif 000006
【図６】
0006580898.tif 000007
【図７】
0006580898.tif 000008